(57)【特許請求の範囲】
【請求項１】
ペットの胴回り部に巻き付けて装着させるペット用の吸収性物品であって、第１外面及び第２外面を有するように折り畳まれた複数の吸収性物品と、
前記複数の吸収性物品のうちの一の吸収性物品の前記第１外面が該一の吸収性物品に隣り合って配置される吸収性物品の前記第２外面に当接するように重ねられた状態で該複数の吸収性物品を収容する包装袋と、を備えるペット用の吸収性物品の包装体であって、
前記吸収性物品は、前記第１外面に配置される係合部材を有すると共に、該吸収性物品の前記第２外面は、前記係合部材に係合可能に構成され、
前記包装袋は、該包装袋に収容された前記吸収性物品の前記第１外面又は前記第２外面に対向する位置に位置する第１面と、該第１面に形成され前記吸収性物品が取り出し可能な取り出し口と、を含んで構成され、
前記吸収性物品は、液透過性の表面層、液不透過性の裏面層、及び該表面層と該裏面層との間に配置される吸収体を有して矩形形状に形成されると共に、前記係合部材は、該吸収性物品の長手方向の一方の端部の近傍の前記裏面層に配置され、
該吸収性物品の長手方向に折り畳まれて、前記裏面層により前記第１外面及び前記第２外面が構成され、
前記表面層及び前記裏面層は、前記係合部材に係合可能な不織布を含んで構成され、
前記裏面層を構成する不織布の前記係合部材に対する係合力は、前記表面層を構成する不織布の前記係合部材に対する係合力よりも弱いペット用の吸収性物品の包装体。
【請求項２】
前記包装袋は、前記第１面に形成される易破断部を更に備え、
前記取り出し口は、前記易破断部を破断することで形成される請求項１に記載の吸収性物品の包装体。
【請求項３】
折り畳まれた状態の前記吸収性物品は、互いに対向する第１端部及び第２端部を有し、
前記係合部材は、前記第１外面における前記第１端部の近傍に配置され、
前記取り出し口は、前記第１面における前記第１端部が位置する側に形成される請求項１又は２に記載の吸収性物品の包装体。
【請求項４】
折り畳まれた状態の前記吸収性物品は、互いに対向する第１端部及び第２端部を有し、
前記係合部材は、前記第１外面における前記第１端部の近傍に配置され、
前記取り出し口は、前記第１面における前記第２端部が位置する側に形成される請求項１又は２に記載の吸収性物品の包装体。
【請求項５】
前記包装袋は、該包装袋に収容された前記複数の吸収性物品における複数の前記第１端部が配置された側に位置する上面と、該上面に設けられる把持部と、を含んで構成される請求項３又は４に記載の吸収性物品の包装体。
【請求項６】
前記一方の端部における前記係合部材が配置された部分が露出して前記第１外面の前記第１端部を構成する請求項３〜５のいずれかに記載の吸収性物品の包装体。
【請求項７】
前記取り出し口の面積は、前記第１外面及び第２外面の面積の３０％〜７０％である請求項１〜６のいずれかに記載の吸収性物品の包装体。
【請求項８】
前記包装袋には、一の吸収性物品の前記第１外面が該一の吸収性物品に隣り合って配置される吸収性物品の前記第２外面に当接するように重ねられた状態の複数の吸収性物品が、複数列又は複数段収容される請求項１〜７のいずれかに記載の吸収性物品の包装体。
【発明の詳細な説明】
【技術分野】
【０００１】
本発明は、吸収性物品の包装体に関する。
【背景技術】
【０００２】
従来、使い捨ておむつ等の吸収性物品は、複数の吸収性物品と、これら複数の吸収性物品を収容する包装袋と、を備える吸収性物品の包装体として流通している。より具体的には、吸収性物品は、扁平形状に折り畳まれた状態で複数枚が積層され、この積層された複数の吸収性物品が包装袋に圧縮されて収容され、包装体が構成されている。
【０００３】
このような吸収性物品の包装体は、包装袋の所定の箇所に形成されたミシン目等の易破断部を有しており、この易破断部を破断することで吸収性物品の取り出し口が形成される。そして、包装袋に収容された複数の吸収性物品は、この取り出し口から一枚ずつ取り出されて使用される（例えば、特許文献１参照）。
【先行技術文献】
【特許文献】
【０００４】
【特許文献１】特開２００６−２５６６５４号公報
【発明の概要】
【発明が解決しようとする課題】
【０００５】
ところで、従来の吸収性物品の包装体では、包装袋に収容されている吸収性物品の枚数が多い場合には、吸収性物品が取り出し口の近傍に位置するため、吸収性物品を取り出し口から容易に取り出すことができる。しかしながら、包装袋に収容されている吸収性物品の枚数が少なくなった場合には、包装袋に残っている吸収性物品は、取り出し口から離れた位置（包装袋の奥の方）に配置されることとなる。そのため、包装袋に収容されている吸収性物品を取り出すためには、取り出し口から包装袋の内部に手を差し入れて取り出す必要があり、包装袋から吸収性物品を容易に取り出せなかった。
【０００６】
従って、本発明は、包装袋に収容された吸収性物品の枚数が少なくなった場合であっても、吸収性物品を一枚ずつ容易に取り出せる吸収性物品の包装体を提供することを目的とする。
【課題を解決するための手段】
【０００７】
本発明は、第１外面及び第２外面を有するように折り畳まれた複数の吸収性物品と、前記複数の吸収性物品のうちの一の吸収性物品の前記第１外面が該一の吸収性物品に隣り合って配置される吸収性物品の前記第２外面に当接するように重ねられた状態で該複数の吸収性物品を収容する包装袋と、を備える吸収性物品の包装体であって、前記吸収性物品は、前記第１外面に配置される係合部材を有すると共に、該吸収性物品の前記第２外面は、前記係合部材に係合可能に構成され、前記包装袋は、該包装袋に収容された前記吸収性物品の前記第１外面又は前記第２外面に対向する位置に位置する第１面と、該第１面に形成され前記吸収性物品が取り出し可能な取り出し口と、を含んで構成される吸収性物品の包装体に関する。
【０００８】
また、前記包装袋は、前記第１面に形成される易破断部を更に備え、前記取り出し口は、前記易破断部を破断することで形成されることが好ましい。
【０００９】
また、折り畳まれた状態の前記吸収性物品は、互いに対向する第１端部及び第２端部を有し、前記係合部材は、前記第１外面における前記第１端部の近傍に配置され、前記取り出し口は、前記第１面における前記第１端部が位置する側に形成されることが好ましい。
【００１０】
また、折り畳まれた状態の前記吸収性物品は、互いに対向する第１端部及び第２端部を有し、前記係合部材は、前記第１外面における前記第１端部の近傍に配置され、前記取り出し口は、前記第１面における前記第２端部が位置する側に形成されることが好ましい。
【００１１】
また、前記包装袋は、該包装袋に収容された前記複数の吸収性物品における複数の前記第１端部が配置された側に位置する上面と、該上面に設けられる把持部と、を含んで構成されることが好ましい。
【００１２】
また、前記取り出し口の面積は、前記第１外面及び第２外面の面積の３０％〜７０％であることが好ましい。
【００１３】
また、前記吸収性物品は、液透過性の表面層、液不透過性の裏面層、及び該表面層と該裏面層との間に配置される吸収体を有して矩形形状に形成されると共に、前記係合部材は、該吸収性物品の長手方向の一方の端部の近傍の前記裏面層に配置され、該吸収性物品の長手方向に折り畳まれて、前記裏面層により前記第１外面及び前記第２外面が構成されることが好ましい。
【００１４】
また、前記吸収性物品は、液透過性の表面層、液不透過性の裏面層、及び該表面層と該裏面層との間に配置される吸収体を有して矩形形状に形成されると共に、前記係合部材は、該吸収性物品の長手方向の一方の端部の近傍の前記表面層に配置され、前記表面層同士が対向するように該吸収性物品の長手方向に折り畳まれた状態で、前記一方の端部における前記係合部材が配置された部分が露出して前記第１外面の前記第１端部を構成することが好ましい。
【００１５】
また、前記表面層及び前記裏面層は、前記係合部材に係合可能な不織布を含んで構成され、前記裏面層を構成する不織布の前記係合部材に対する係合力は、前記表面層を構成する不織布の前記係合部材に対する係合力よりも弱いことが好ましい。
【００１６】
また、前記包装袋には、一の吸収性物品の前記第１外面が該一の吸収性物品に隣り合って配置される吸収性物品の前記第２外面に当接するように重ねられた状態の複数の吸収性物品が、複数列又は複数段収容されていてもよい。
【発明の効果】
【００１７】
本発明の吸収性物品の包装体によれば、包装袋に収容された吸収性物品の枚数が少なくなった場合であっても、吸収性物品を一枚ずつ容易に取り出せる。
【図面の簡単な説明】
【００１８】
【図１】本発明の第１実施形態に係る吸収性物品の包装体を示す斜視図である。
【図２】第１実施形態の吸収性物品の包装体に収容される吸収性物品を示す平面図である。
【図３】図２のＸ−Ｘ線断面図である。
【図４】図２に示す吸収性物品を装着対象であるペットに装着した状態を示す図である。
【図５】図２に示す吸収性物品を折り畳んだ状態を示す縦断面図である。
【図６】図１のＹ−Ｙ線断面図である。
【図７】包装袋の第１面を正面から視た図である。
【図８】図１に示す吸収性物品の包装体における包装袋の易破断部を破断して取り出し口を形成した状態を示す斜視図である。
【図９Ａ】第１実施形態の吸収性物品の包装体において、包装袋に収容された吸収性物品を取り出す手順を示す図であり、易破断部を破断して取り出し口を形成した状態を示す図である。
【図９Ｂ】図９Ａに示した状態から、最も取り出し口の近くに配置された一枚目の吸収性物品の第２外面側の第１端部を引き出した状態を示す図である。
【図９Ｃ】図９Ｂに示した状態から、更に第１端部を引出して、第２端部が取り出し口から引出された状態を示す図である。
【図９Ｄ】図９Ｃに示した状態から、更に一枚目の吸収性物品を引出した状態を示す図である。
【図９Ｅ】一枚目の吸収性物品が取り出されて、二枚目の吸収性物品が取り出し口の近傍に位置した状態を示す図である。
【図１０Ａ】第２実施形態の吸収性物品の包装体において、包装袋に収容された吸収性物品を取り出す手順を示す図であり、易破断部を破断して取り出し口を形成した状態を示す図である。
【図１０Ｂ】図１０Ａに示した状態から、最も取り出し口の近くに配置された一枚目の吸収性物品の第２端部を引き出した状態を示す図である。
【図１０Ｃ】図１０Ｂに示した状態から、更に一枚目の吸収性物品を引出して、二枚目の吸収性物品の第２外面側が引き出された状態を示す図である。
【図１０Ｄ】図１０Ｃに示した状態から、更に一枚目の吸収性物品を引っ張った状態を示す図である。
【図１０Ｅ】一枚目の吸収性物品が取り出されて、二枚目の吸収性物品が取り出し口の近傍に位置した状態を示す図である。
【図１１】第３実施形態の吸収性物品の包装体において、包装袋に複数の吸収性物品が収容された状態を示す断面図である。
【図１２】第４実施形態の吸収性物品の包装体において、包装袋に複数の吸収性物品が収容された状態を示す図である。
【図１３】第５実施形態の吸収性物品の包装体において、包装袋に複数の吸収性物品が収容された状態を示す図である。
【図１４】吸収性物品の包装体の第１変形例を示す斜視図である。
【図１５】吸収性物品の包装体の第２変形例を示す斜視図である。
【図１６】吸収性物品の折り畳み方の第１変形例を示す図である。
【図１７】吸収性物品の折り畳み方の第２変形例を示す図である。
【図１８Ａ】易破断部の形状の第１変形例を示す図である。
【図１８Ｂ】易破断部の形状の第２変形例を示す図である。
【図１８Ｃ】易破断部の形状の第３変形例を示す図である。
【図１９】包装袋に収容される吸収性物品の配置の変形例を示す図である。
【発明を実施するための形態】
【００１９】
以下、本発明の吸収性物品の包装体の好ましい各実施形態について、図面を参照しながら説明する。尚、以下の各実施形態では、吸収性物品としてのペット用吸収性物品１０が包装された包装体１について説明する。
【００２０】
まず、第１実施形態の吸収性物品の包装体１について、図１〜図９を参照しながら説明する。第１実施形態の吸収性物品の包装体１は、図１に示すように、複数のペット用吸収性物品１０と、これら複数のペット用吸収性物品１０を収容する包装袋２０と、を備える。
【００２１】
まず、第１実施形態のペット用吸収性物品１０の構成について、図２〜図４を参照しながら説明する。
ペット用吸収性物品１０は、図２に示すように、平面視において矩形形状に形成される。ペット用吸収性物品１０は、図２及び図３に示すように、液透過性の表面層としての表面シート２と、液不透過性の裏面層３と、吸収体４と、一対のサイドシート５，５と、第１弾性部材６及び第２弾性部材７と、係合部材としてのフックテープ８と、を備える。
【００２２】
表面シート２は、主として、装着対象のペットの身体に当接する側の面を構成する。この表面シート２は、後述のフックテープ８に係合可能な有孔又は無孔の不織布により構成される。
【００２３】
裏面層３は、図３に示すように、ペット用吸収性物品１０の反身体側の面を構成する裏面シート３１と、この裏面シート３１における表面シート２側に配置される防水シート３２と、を備える。
裏面シート３１は、フックテープ８に係合可能な不織布により構成される。より具体的には、裏面シート３１としては、疎水性の不織布、不織布と不透水性プラスティックフィルムとのラミネートシート、耐水性の高いメルトブローン不織布を強度の強いスパンボンド不織布で挟んだＳＭＳ不織布等を用いることができる。
防水シート３２としては、裏面シート３１と同様の素材の他、不透水性のプラスティックフィルム等を用いることができる。
第１実施形態では、裏面シート３１は、表面シート２を構成する不織布よりもフックテープ８に対する係合力が弱い不織布により構成される。
【００２４】
吸収体４は、図３に示すように、重ね合わせられた表面シート２及び裏面層３の間に介在配置される。吸収体４としては、フラッフ状パルプ及び高吸収ポリマーを、ティッシュ等のコアラップ材により被覆したものを用いることができる。
【００２５】
一対のサイドシート５，５は、細長い矩形形状に構成され、表面シート２の長手方向に沿う側部の身体側にそれぞれ配置される。一対のサイドシート５，５の外側縁側は、裏面シート３１の側部に接合されている。一対のサイドシート５，５の内側縁の一部は、自由端となっている。
サイドシート５，５としては、撥水性又は疎水性を有するものが好ましく用いられ、具体的には、スパンレース不織布、スパンボンド不織布、サーマルボンド不織布、メルトブローン不織布、ニードルパンチ不織布、エアースルー不織布等の各種不織布を用いることができる。
【００２６】
第１弾性部材６は、一対のサイドシート５，５それぞれの内側縁近傍に配置される。第２弾性部材７は、ペット用吸収性物品１０の長手方向ＬＤに沿う一対の側部それぞれに配置される。
第１弾性部材６及び第２弾性部材７としては、天然ゴムからなる糸状ゴム、平ゴム等や、ウレタン、エチレン−酢酸ビニル共重合体（ＥＶＡ）、ＰＥ等の熱可塑性エラストマーを用いることができる。
【００２７】
フックテープ８は、ペット用吸収性物品１０の長手方向ＬＤの一方の端部９１の近傍の裏面シート３１の外面に配置される。フックテープ８は、帯状に構成され、フックテープ８の長手方向がペット用吸収性物品１０の幅方向ＷＤに沿うように配置される。
フックテープ８は、帯状の基部８１と、この基部８１の一方の面に設けられる複数のフック部８２と、を備える（図５参照）。フックテープ８は、複数のフック部８２が表面シート２を構成する不織布の構成繊維に係合することで、表面シート２に係合可能に構成される。また、フックテープ８は、複数のフック部８２が裏面シート３１を構成する不織布の構成繊維に係合することで、裏面シート３１に係合可能に構成される。
フックテープ８は、ポリプロピレン等の合成樹脂材により基部８１及び複数のフック部８２が一体的に形成される。
【００２８】
以上のペット用吸収性物品１０は、図４に示すように、ペットの胴回り部に装着されて使用される。具体的には、まず、ペット用吸収性物品１０の長手方向ＬＤの一方の端部９１をペットの背中に位置させて、この一方の端部９１の近傍を押さえた状態で、長手方向ＬＤの他方の端部９２をペットの腹側を覆うように巻きつける。次いで、主として表面シート２で構成される他方の端部９２の内面を、一方の端部９１の裏面シート３１側に配置されたフックテープ８に係合させる。これにより、ペット用吸収性物品１０は、ペットの胴回りに巻きつけられた状態が保持される。
【００２９】
図５は、ペット用吸収性物品１０を折り畳んだ状態を示す縦断面図である。
複数のペット用吸収性物品１０は、図５に示すように、第１外面１１及び第２外面１２を有するように折り畳まれる。
【００３０】
第１実施形態では、ペット用吸収性物品１０は、図５に示すように、表面シート２が内側となるように長手方向ＬＤに二つ折りに折り畳まれている。これにより、折り畳まれた状態のペット用吸収性物品１０は、重なり合った長手方向ＬＤの一方の端部９１及び他方の端部９２により構成される第１端部１３と、この第１端部１３に対向して配置され、二つ折りの折線部分により構成される第２端部１４と、を有し、これら第１端部１３及び第２端部１４をつなぐ方向が長手方向となる矩形形状に形成される。また、折り畳まれた状態のペット用吸収性物品１０の第１外面１１及び第２外面１２は、いずれも裏面シート３１により構成される。そして、フックテープ８は、折り畳まれた状態のペット用吸収性物品１０の第１外面１１の第１端部１３の近傍に配置される。
【００３１】
折り畳まれた状態の複数のペット用吸収性物品１０は、図１及び図６に示すように、一のペット用吸収性物品１０の第１外面１１が、この一のペット用吸収性物品１０に隣り合って配置されるペット用吸収性物品１０の第２外面１２に当接するように重ねられる。また、複数のペット用吸収性物品１０は、それぞれの第１端部１３同士及び第２端部１４同士が同じ側に位置するように重ねられる。
【００３２】
包装袋２０は、可撓性を有するシート状部材により袋状に構成され、折り畳まれて重ねられた複数のペット用吸収性物品１０を収容する。包装袋２０には、複数のペット用吸収性物品１０が圧縮された状態で収容される。包装袋２０は、図１及び図８に示すように、第１面２１を含む４つの側面と、底面２２と、上面２３と、第１面２１に形成される易破断部２４及び取り出し口２５と、上面２３に設けられる把持部２６と、を備える。
【００３３】
第１面２１は、図６に示すように、包装袋２０に収容された複数のペット用吸収性物品１０の第２外面１２に対向する位置に配置される。言い換えれば、第１面２１は、複数のペット用吸収性物品１２が重ねられる方向の延長上に位置する。
第１実施形態では、第１面２１は、折り畳まれたペット用吸収性物品１０の第１外面１１及び第２外面１２と略同形同大に形成される。つまり、第１面２１の面積は、折り畳まれた状態のペット用吸収性物品１０の第１外面１１の面積及び第２外面１２の面積と略等しく構成される。
【００３４】
底面２２は、包装袋２０に収容された複数のペット用吸収性物品１０の第２端部１４が位置する側に配置される。
上面２３は、包装袋２０に収容された複数のペット用吸収性物品１０の第１端部１３が位置する側に配置される。
第１実施形態では、底面２２及び上面２３は、図１及び図８に示すように、複数のペット用吸収性物品１０が重ねられる方向が長手方向となる矩形形状に形成される。
【００３５】
易破断部２４は、図７に示すように、第１面２１を構成するシート状部材に形成されたミシン目により構成される。易破断部２４は、第１面２１における上面２３側の側縁に沿うように延びると共に、第１面２１における上面２３と底面２２とをつなぐ側縁に沿って底面２２側に向かって延びる。また、易破断部２４における上面２３側の側縁に沿って延びる部分の中央部は、上面２３側に凸となるように湾曲している。
易破断部２４の底面２２側の端部は、底面２２から所定の長さ上面２３側に離間した位置に位置している。つまり、易破断部２４は、第１面２１における上面側（折り畳まれたペット用吸収性物品１０の第１端部１３が位置する側）に形成され、第１面２１における底面２２側（折り畳まれたペット用吸収性物品１０の第２端部１４が位置する側）には、易破断部２４が形成されていない領域が設けられている。
【００３６】
取り出し口２５は、図８に示すように、易破断部２４を破断することで形成される。つまり、取り出し口２５は、折り畳まれたペット用吸収性物品１０の第１端部１３が位置する側である第１面２１における上面２３側に偏って形成される。
取り出し口２５の長さ（上面２３と底面２２とをつなぐ方向における長さ）Ｌ１は、包装袋２０に収容されたペット用吸収性物品１を一枚ずつ取り出しやすくする観点から、好ましくは、第１面２１の長手方向の長さ（上面２３と底面２２とをつなぐ方向における長さ）Ｌ２の２０％〜８０％、より好ましくは４０％〜７０％である。
取り出し口２５の幅（長さＬ１に直交する方向の長さ）Ｗ１は、好ましくは、折り畳まれた状態のペット用吸収性物品１０の幅（第１端部１３と第２端部１４とをつなぐ方向に直交する方向の長さ）Ｗ２の５０％〜９０％、より好ましくは６５％〜８０％である。
また、取り出し口２５の面積は、好ましくは、ペット用吸収性物品１０の第１外面１１の面積の３０％〜７０％である。
【００３７】
把持部２６は、図１及び図８に示すように、延出部２６１と、この延出部２６１に形成される取手部２６２と、を備える。延出部２６１は、上面２３からシート状部材が延出して形成される。延出部２６１は、上面２３における幅方向の中央部に配置され、上面２３の長手方向に延びる。
取手部２６２は、延出部２６１の略中央部に設けられ、延出部２６１を構成するシート状部材の一部が切り抜かれて形成される。
【００３８】
以上の包装体１では、図６に示すように、包装袋２０には、複数のペット用吸収性物品１０が圧縮された状態で収容される。そのため、包装袋２０に収容された複数のペット用吸収性物品１０それぞれの第１外面１１は、隣り合って配置されているペット用吸収性物品１０の第２外面１２に密着して当接される。ここで、折り畳まれた状態の複数のペット用吸収性物品１０それぞれの第１端部１３の第１外面１１には、ペット用吸収性物品１０をペットに装着する場合に、表面シート２に係合させるために用いられるフックテープ８が配置されている。また、折り畳まれた状態のペット用吸収性物品１０の第２外面１２は、フックテープ８が係合可能な不織布（裏面シート３１）により構成されている。これにより、複数のペット用吸収性物品１０に配置されているフックテープ８は、隣り合って配置されるペット用吸収性物品１０の第２外面１２に係合される。
【００３９】
次に、第１実施形態の吸収性物品の包装体１において、包装袋２０に収容されたペット用吸収性物品１０を取り出す手順について、図１、図８、及び図９Ａ〜図９Ｄを参照しながら説明する。
【００４０】
第１実施形態の吸収性物品の包装体１は、把持部２６を把持して持ち運ばれ、所定の保管場所に、底面２２が下面となるように載置される（図１参照）。この状態では、第１面２１は、起立面となり、複数のペット用吸収性物品１０それぞれの第１外面１１及び第２外面１２も起立した状態で配置される。そして、易破断部２４（取り出し口２５）は、第１面２１の上側に偏って形成されることとなる。
【００４１】
この状態から、包装袋２０に収容されたペット用吸収性物品１０を最初に取り出す場合には、まず、図８に示すように、易破断部２４を破断して、取り出し口２５を形成する。すると、図８及び図９Ａに示すように、包装袋２０に収容された複数のペット用吸収性物品１０のうちの最も取り出し口２５に近い位置に配置された一枚目のペット用吸収性物品１０の第２外面１２が、取り出し口２５から露出する。
【００４２】
次いで、図９Ｂに示すように、一枚目のペット用吸収性物品１０の第１端部１３をつまんで、この一枚目のペット用吸収性物品１０を取り出し口２５から引き出す。ここで、第１実施形態では、取り出し口２５は、第１面２１において、ペット用吸収性物品１０の第１端部１３が位置する側に偏って配置されている。また、第１端部１３は、折り畳まれて重なり合ったペット用吸収性物品１０の長手方向ＬＤの一方の端部９１（第１外面１１側）及び他方の端部９２（第２外面１２側）により構成される。これにより、一方の端部９１及び他方の端部９２からなる第１端部１３のうちの取り出し口２５側に位置する他方の端部９２（第２外面１２側）のみを引き出せる。
【００４３】
図９Ｂに示すように、一枚目のペット用吸収性物品１０の他方の端部９２を引き出していくと、図９Ｃに示すように、第２端部１４が引き出されて取り出し口２５の外に脱出する。
一枚目のペット用吸収性物品１０を更に引き出していくと、図９Ｄに示すように、第１端部１３を構成する一方の端部９１（第１外面１１側）が取り出し口２５の外部に脱出する。ここで、第１端部１３の第１外面１１には、フックテープ８が配置されており、このフックテープ８は、二枚目のペット用吸収性物品１０の第２外面１２に係合されている。これにより、一枚目のペット用吸収性物品１０の第１外面１１側が取り出し口２５の外部に引き出されるのに伴って、二枚目のペット用吸収性物品１０は、取り出し口２５側に引っ張られて移動する。
【００４４】
この状態から、一枚目のペット用吸収性物品１０を更に引き出すと、第１面２１の下部の取り出し口２５が形成されていない部分が二枚目のペット用吸収性物品１０の第２端部１４側に干渉して、二枚目のペット用吸収性物品１０の取り出し口２５側への移動を抑制する力が働く。これにより、一枚目のペット用吸収性物品１０には、引き出される力が働くのに対して、二枚目のペット用吸収性物品１０には、移動を抑制する力が働くので、一枚目のペット用吸収性物品１０のフックテープ８と二枚目のペット用吸収性物品１０の第２外面１２との係合が解除される。そして、図９Ｅに示すように、一枚目のペット用吸収性物品１０は、二枚目のペット用吸収性物品１０と分離する。また、二枚目のペット用吸収性物品１０は、取り出し口２５近傍に移動して、この二枚目のペット用吸収性物品１０の第２外面１２が取り出し口２５から露出する。
【００４５】
二枚目以降のペット用吸収性物品１０を取り出す場合にも、同様の手順を繰り返す。これにより、ペット用吸収性物品１０を取り出し口２５から引き出す動作により、隣り合って配置されたペット用吸収性物品１０を取り出し口２５の近傍まで移動させられる。よって、包装袋２０に収容されたペット用吸収性物品１０の枚数が少なくなった場合であっても、ペット用吸収性物品１０を一枚ずつ容易に取り出せる。
【００４６】
以上説明した第１実施形態の吸収性物品の包装体１によれば、以下のような作用効果を奏する。
【００４７】
（１）ペット用吸収性物品１０を、第１外面１１及び第２外面１２を有するように折り畳んで構成すると共に、第１外面１１にフックテープ８を配置し、第２外面１２をこのフックテープ８に係合可能な裏面シート３１により構成した。そして、折り畳んだペット用吸収性物品１０を、一のペット用吸収性物品１０の第１外面１１がこの一のペット用吸収性物品１０に隣り合って配置されるペット用吸収性物品１０の第２外面１２に当接するように複数重ねた状態で包装袋２０に収容し、この包装袋２０におけるペット用吸収性物品１０の第２外面１２に対向する第１面２１に取り出し口２５を形成した。これにより、複数のペット用吸収性物品１０に配置されているフックテープ８が、隣り合って配置されるペット用吸収性物品１０の第２外面１２に係合されるので、ペット用吸収性物品１０を取り出し口２５の外部に引き出す動作に伴って、引き出されるペット用吸収性物品１０に隣り合って配置されるペット用吸収性物品１０を、取り出し口２５側に移動させられる。よって、ペット用吸収性物品１０を取り出し口２５から引き出す動作により、隣り合って配置されたペット用吸収性物品１０を取り出し口２５の近傍まで移動させられる。その結果、包装袋２０に収容されたペット用吸収性物品１０の枚数が少なくなった場合であっても、ペット用吸収性物品１０を一枚ずつ容易に取り出せる。
【００４８】
（２）包装袋２０を、易破断部２４を含んで構成し、取り出し口２５を、易破断部２４を破断することで形成した。これにより、取り出し口２５を容易に形成できる。
【００４９】
（３）折り畳んだ状態のペット用吸収性物品１０を、第１端部１３及び第２端部１４を有する矩形形状に構成すると共に、フックテープ８を、第１外面１１における第１端部１３の近傍に配置し、取り出し口２５を、第１面２１における第１端部１３が位置する側に形成した。これにより、一枚目のペット用吸収性物品１０を引き出す場合に、第１端部１３の第２外面１２側のみをつまんで引き出せる。また、第１面２１における第２端部１４が位置する側には取り出し口２５が形成されていないので、一枚目のペット用吸収性物品１０を引き出した場合に、第１面２１の取り出し口２５が形成されていない部分が、二枚目のペット用吸収性物品１０の第２端部１４に干渉して、二枚目のペット用吸収性物品１０に、取り出し口２５側への移動を抑制する力が働く。よって、一枚目のペット用吸収性物品１０には、引き出される力が働くのに対して、二枚目のペット用吸収性物品１０には、移動を抑制する力が働くので、一枚目のペット用吸収性物品１０と二枚目のペット用吸収性物品１０とを好適に分離できる。
【００５０】
（４）包装袋２０に収容された複数のペット用吸収性物品１０それぞれにおける複数の第１端部１３を、包装袋２０の上面２３に対向させて配置し、包装袋２０を、この上面２３に設けた把持部２６を含んで構成した。これにより、吸収性物品の包装体１を、把持部２６を把持して持ち運んだ場合に、この吸収性物品の包装体１を、底面２２が下面となるように載置しやすくできる。これにより、第１面２１を起立面とし、複数のペット用吸収性物品１０それぞれの第１外面１１及び第２外面１２も起立した状態で配置できる。また、易破断部２４（取り出し口２５）を、第１面２１の上部に配置させられる。よって、取り出し口２５を起立した第１面２１の上部に配置できるので、包装袋２０からのペット用吸収性物品１０の取り出しをより容易に行える。
【００５１】
（５）ペット用吸収性物品１０を、フックテープ８に係合可能な表面シート２、フックテープ８に係合可能な裏面層３、及び吸収体４を有する矩形形状に形成すると共に、フックテープ８を、ペット用吸収性物品１０の長手方向ＬＤの一方の端部９１の近傍の裏面層３に配置した。また、ペット用吸収性物品１０を長手方向ＬＤに二つ折りに折り畳んで、裏面層３により第１外面１１及び第２外面１２を構成した。これにより、ペット用吸収性物品１０をペットに装着する場合に用いるフックテープ８を利用して、重ねられた状態で隣り合って配置されるペット用吸収性物品１０同士を係合させられる。よって、隣り合って配置されるペット用吸収性物品１０同士を係合させる部材を別途設けることなく、ペット用吸収性物品１０を取り出し口２５から引き出す動作により、隣り合って配置されたペット用吸収性物品１０を取り出し口２５の近傍まで移動させられる。
【００５２】
（６）裏面シート３１を構成する不織布のフックテープ８に対する係合力を、表面シート２を構成する不織布のフックテープ８に対する係合力よりも弱く構成した。これにより、重ねられた状態で隣り合って配置されているペット用吸収性物品１０同士の係合力を、ペット用吸収性物品１０をペットに装着する場合にフックテープ８を表面シート２に係合させる係合力よりも弱くできる。よって、重ねられた状態で隣り合って配置されているペット用吸収性物品１０同士を弱接合させられるので、ペット用吸収性物品１０を取り出し口２５から取り出す場合に、隣り合って配置されるペット用吸収性物品を好適に分離できる。
【００５３】
次に、本発明の吸収性物品の包装体の第２実施形態について、図１０Ａ〜図１０Ｅを参照しながら説明する。尚、第２実施形態以降の説明にあたって、同一構成要件については同一符号を付し、その説明を省略もしくは簡略化する。
第２実施形態の吸収性物品の包装体１は、主として、取り出し口２５が形成される位置において、第１実施形態と異なる。
第２実施形態では、図１０Ａに示すように、取り出し口２５は、折り畳まれたペット用吸収性物品１０の第２端部１４が位置する側、つまり、第１面２１における底面２２側に形成される。第２実施形態では、易破断部は、第１面２１における底面２２側の側縁に沿うように延びると共に、第１面２１における上面２３と底面２２とをつなぐ側縁に沿って上面２３側に向かって延びる（図示せず）。これにより、第２実施形態では、図１０Ａに示すように、取り出し口２５が形成された状態では、取り出し口２５を覆っていたシート状部材は、取り出し口２５の上側にめくり上げられた状態となる。
【００５４】
第２実施形態では、包装袋２０に収容されたペット用吸収性物品１０は、以下のように取り出される。
【００５５】
第２実施形態の吸収性物品の包装体１では、図１０Ａに示すように、包装袋２０を、底面２２が下面となるように載置された状態において、易破断部２４（取り出し口２５）が第１面２１の下側に偏って配置される。
この状態から、包装袋２０に収容されたペット用吸収性物品１０を最初に取り出す場合に、易破断部２４を破断して、取り出し口２５を形成すると、図１０Ａに示すように、一枚目のペット用吸収性物品１０の第２外面１２の第２端部１４側が取り出し口２５から露出する。
【００５６】
次いで、図１０Ｂに示すように、一枚目のペット用吸収性物品１０の第２端部１４をつまんで、この一枚目のペット用吸収性物品１０を取り出し口２５から引き出す。すると、図１０Ｃに示すように、一枚目のペット用吸収性物品１０の第１外面１１側が引き出されるのに伴って、この一枚目のペット用吸収性物品１０に係合された二枚目のペット用吸収性物品１０の第２外面１２側が取り出し口２５から脱出する。
【００５７】
この状態から、更に一枚目のペット用吸収性物品１０を引き出すと、図１０Ｄに示すように、二枚目のペット用吸収性物品１０の第１外面１１は、取り出し口２５側に引っ張られて移動する。そして、一枚目のペット用吸収性物品１０を更に引き出すと、第１面２１の上部の取り出し口２５が形成されていない部分が二枚目のペット用吸収性物品１０の第１外面１１側の第１端部１３に干渉して、二枚目のペット用吸収性物品１０の取り出し口２５側への移動を抑制する。これにより、一枚目のペット用吸収性物品１０には、引っ張られる力が働くのに対して、二枚目のペット用吸収性物品１０の第１外面１１側には、移動を抑制する力が働くので、取り出し口２５の外部に脱出した一枚目のペット用吸収性物品１０のフックテープ８と二枚目のペット用吸収性物品１０の第２外面１２との係合が解除される。そして、図１０Ｅに示すように、一枚目のペット用吸収性物品１０は、二枚目のペット用吸収性物品１０と分離する。また、二枚目のペット用吸収性物品１０は、第２外面１２側が取り出し口２５から脱出した状態で、取り出し口２５の近傍に配置される。
【００５８】
第２実施形態の吸収性物品の包装体１によれば、上述の（１）、（２）、（５）、（６）の作用効果を奏する他に、以下のような作用効果を奏する。
【００５９】
（７）取り出し口２５を、折り畳まれたペット用吸収性物品１０の第２端部１４が位置する側に配置した。これにより、一枚目のペット用吸収性物品１０を取り出した場合に、二枚目のペット用吸収性物品１０を、第２外面１２側を取り出し口２５から脱出させた状態に配置できる。よって、包装袋２０に収容された二枚目以降のペット用吸収性物品１０について、ペット用吸収性物品１０の一部を取り出し口２５から脱出させた状態で配置させられるので、包装袋２０に収容されたペット用吸収性物品１０の取り出しをより容易に行える。
【００６０】
（８）易破断部を、第１面２１における底面２２側の側縁に沿うように延びると共に、第１面２１における上面２３と底面２２とをつなぐ側縁に沿って上面２３側に向かって延びるように形成した。これにより、取り出し口２５が形成された状態では、取り出し口２５を覆っていたシート状部材を、取り出し口２５の上側に位置させられる。よって、包装体１を開封した後に、破断したシート状部材により取り出し口２５を覆えるので、包装体１の開封後の包装袋２０の内部へのゴミ等の侵入を低減できる。
【００６１】
次に、本発明の吸収性物品の包装体１の第３実施形態について、図１１を参照しながら説明する。図１１は、第３実施形態の吸収性物品の包装体において、包装袋２０に複数のペット用吸収性物品１０が収容された状態を示す図である。
第３実施形態の吸収性物品の包装体１は、包装袋２０に収容されている複数のペット用吸収性物品１０の向きにおいて、第１実施形態と異なる。
【００６２】
第３実施形態では、複数のペット用吸収性物品１０は、図１１に示すように、フックテープ８が配置された第１外面１１が第１面２１に対向するように、包装袋２０に収容されている。
【００６３】
第３実施形態の吸収性物品の包装体１によれば、上述した（１）〜（６）の作用効果を奏する。
【００６４】
次に、本発明の吸収性物品の包装体１の第４実施形態について、図１２を参照しながら説明する。図１２は、第４実施形態の吸収性物品の包装体において、包装袋２０に複数のペット用吸収性物品１０が収容された状態を示す図である。
第４実施形態の吸収性物品の包装体１は、ペット用吸収性物品１０におけるフックテープ８の配置、及びペット用吸収性物品１０の折り畳み方において、第３実施形態と異なる。
【００６５】
第４実施形態では、フックテープ８は、図１２に示すように、ペット用吸収性物品１０の長手方向の一方の端部９１の表面シート２側に配置されている。そして、ペット用吸収性物品１０は、表面シート２同士が対向し、かつ、一方の端部９１におけるフックテープ８が配置された部分が露出するように、ペット用吸収性物品１０の長手方向に折り畳まれる。これにより、第４実施形態では、折り畳まれた状態のペット用吸収性物品１０の第１外面１１の第１端部１３の近傍は、表面シート２及びこの表面シート２に配置されたフックテープ８により構成され、第１端部１３の近傍を除く領域は、裏面シート３１により構成される。
【００６６】
第４実施形態の吸収性物品の包装体１によれば、上述した（１）〜（４）、（６）の作用効果を奏する他、以下のような作用効果を奏する。
【００６７】
（９）ペット用吸収性物品１０を、表面シート２同士が対向し、かつ、一方の端部９１におけるフックテープ８が配置された部分が露出するように、ペット用吸収性物品１０の長手方向に折り畳んだ。これにより、第１外面１１を、表面シート２に配置されたフックテープ８を含んで構成できる。よって、表面シート２側にフックテープ８を配置したペット用吸収性物品１０を包装袋２０に収容する包装体であっても、ペット用吸収性物品１０を一枚ずつ容易に取り出せる吸収性物品の包装体を提供できる。
【００６８】
次に、本発明の吸収性物品の包装体１の第５実施形態について、図１３を参照しながら説明する。図１３は、第５実施形態の吸収性物品の包装体において、包装袋２０に複数のペット用吸収性物品１０が収容された状態を示す図である。
第５実施形態の吸収性物品の包装体１は、ペット用吸収性物品１０の折り畳み方において、第３実施形態と異なる。
第５実施形態では、ペット用吸収性物品１０は、図１３に示すように、裏面シート３１同士が対向し、かつ、一方の端部９１におけるフックテープ８が配置された部分が露出するように、ペット用吸収性物品１０の長手方向に折り畳まれている。即ち、第５実施形態では、折り畳まれた状態のペット用吸収性物品１０の第１外面１１の第１端部１３の近傍は、裏面シート３１及びこの裏面シート３１に配置されたフックテープ８により構成され、第１端部１３の近傍を除く領域及び第２外面１２は、表面シート２により構成される。
【００６９】
第５実施形態の吸収性物品の包装体１によれば、上述した（１）〜（６）の作用効果を奏する。
【００７０】
以上、本発明の好ましい各実施形態について説明したが、本発明は、上述した各実施形態に制限されるものではなく、適宜変更が可能である。
例えば、上述した各実施形態では、本発明を、ペット用吸収性物品１０を収容する包装体１に適用したが、これに限らない。即ち、本発明を、使い捨ておむつや尿取りパッド等の吸収性物品を収容する包装体に適用してもよい。
【００７１】
また、上述した各実施形態では、本発明を、複数のペット用吸収性物品１０を一列に重ねた状態で包装袋２０に収容した吸収性物品の包装体１に適用したが、これに限らない。即ち、図１４に示すように、本発明を、複数のペット用吸収性物品１０を、２段積み重ねた状態で包装袋２０に収容した吸収性物品の包装体１に適用してもよい。また、図１５に示すように、本発明を、複数のペット用吸収性物品１０を、複数列（例えば、３列）並べた状態で包装袋２０に収容した吸収性物品の包装体１に適用してもよい。
【００７２】
また、上述した各実施形態では、ペット用吸収性物品１０を長手方向に二つ折りに折り畳んだ状態で包装袋２０に収容したが、これに限らない。即ち、図１６に示すように、ペット用吸収性物品１０を長手方向に三つ折りに折り畳んだ状態で包装袋に収容してもよく、また、図１７に示すように、ペット用吸収性物品１０を長手方向に三つ折りに折り畳んだ状態で包装袋に収容してもよい。
【００７３】
また、易破断部２４（取り出し口２５）の形状は、上述した各実施形態における形状に限らない。即ち、易破断部２４を、図１８Ａに示すように、環状に形成し、取り出し口２５を形成した場合に、シート状部材を分離可能に構成してもよい。これにより、易破断部２４を破断して取り出し口２５を形成する場合に、必要以上に取り出し口２５が大きく形成されてしまうことを防げる。
また、図１８Ｂに示すように、易破断部２４の底面２２に向かって延びる端部を、第１面２１における幅方向の内方に向かわせてもよく、図１８Ｃに示すように、易破断部２４の底面２２に向かって延びる端部を、第１面２１における幅方向の外方に向かわせてもよい。このように、易破断部２４の端部を、第１面２１の幅方向の内方又は外方に向かわせることによっても、易破断部２４を破断して取り出し口２５を形成する場合に、必要以上に取り出し口２５が大きく形成されてしまうことを防げる。
【００７４】
また、上述した各実施形態では、フックテープ８が配置された第１端部１３を、包装袋２０の上面２３側に配置したが、これに限らない。即ち、図１９に示すように、フックテープ８が配置された第１端部１３を、包装袋２０の底面２２側に配置してもよい。
【符号の説明】
【００７５】
１  吸収性物品の包装体
２  表面層（表面シート）
３  裏面層
４  吸収体
８  フックテープ  （係合部材）
１０  吸収性物品（ペット用吸収性物品）
１１  第１外面
１２  第２外面
１３  第１端部
１４  第２端部
２０  包装袋
２１  第１面
２３  上面
２４  易破断部
２５  取り出し口
２６  把持部
【図１】
0005858646.tif 000002
【図２】
0005858646.tif 000003
【図３】
0005858646.tif 000004
【図４】
0005858646.tif 000005
【図５】
0005858646.tif 000006
【図６】
0005858646.tif 000007
【図７】
0005858646.tif 000008
【図８】
0005858646.tif 000009
【図９Ａ】
0005858646.tif 000010
【図９Ｂ】
0005858646.tif 000011
【図９Ｃ】
0005858646.tif 000012
【図９Ｄ】
0005858646.tif 000013
【図９Ｅ】
0005858646.tif 000014
【図１０Ａ】
0005858646.tif 000015
【図１０Ｂ】
0005858646.tif 000016
【図１０Ｃ】
0005858646.tif 000017
【図１０Ｄ】
0005858646.tif 000018
【図１０Ｅ】
0005858646.tif 000019
【図１１】
0005858646.tif 000020
【図１２】
0005858646.tif 000021
【図１３】
0005858646.tif 000022
【図１４】
0005858646.tif 000023
【図１５】
0005858646.tif 000024
【図１６】
0005858646.tif 000025
【図１７】
0005858646.tif 000026
【図１８Ａ】
0005858646.tif 000027
【図１８Ｂ】
0005858646.tif 000028
【図１８Ｃ】
0005858646.tif 000029
【図１９】
0005858646.tif 000030